(57)【要約】【課題】ＣＢＮ砥粒の結晶方位を考慮することで、砥石性能を飛躍的に向上させたＣＢＮ砥石を提供する。【解決手段】研削盤４０の砥石台４１に回転軸線回りに軸承された砥石軸４２に装着されるコア８の周囲に複数個のＣＢＮ砥粒６と結合剤１２とを含む砥粒層２が形成されるＣＢＮ砥石４において、各前記ＣＢＮ砥粒６は、ＣＢＮ砥粒６中で最も広い｛１１１｝面Ａを有する単結晶体であり、前記砥粒層２には、砥石外周面方向に対して各前記砥粒ＣＢＮの｛１１１｝面Ａが平行な方向に配向されて設けられている。【選択図】図４
2010094774.tif 000002
【特許請求の範囲】
【請求項１】
研削盤の砥石台に回転軸線回りに軸承された砥石軸に装着されるコアの周囲に複数個のＣＢＮ砥粒と結合剤とを含む砥粒層が形成されるＣＢＮ砥石において、
各前記ＣＢＮ砥粒は、該ＣＢＮ砥粒中で最も広い面となっている｛１１１｝面を有する単結晶体であり、前記砥粒層には、砥石外周面に対して各前記砥粒ＣＢＮの｛１１１｝面が平行な方向に配向されて設けられていることを特徴とするＣＢＮ砥石。
【請求項２】
請求項１において、前記ＣＢＮ砥粒は、該ＣＢＮ砥粒中で最も広い面となっている｛１１１｝面と、該｛１１１｝面に平行な他の｛１１１｝面とを有する板状砥粒であることを特徴とするＣＢＮ砥石。
【請求項３】
請求項２において、前記他の｛１１１｝面は、前記ＣＢＮ砥粒中で２番目に広い面となっていることを特徴とするＣＢＮ砥石。
【請求項４】
請求項１乃至３のいずれか１項において、前記コアは金属製であり、前記結合剤は電着メッキであることを特徴とするＣＢＮ砥石。
【発明の詳細な説明】
【技術分野】
【０００１】
本発明は、研削に使用されるＣＢＮ砥石に関するものである。
【背景技術】
【０００２】
従来、鉄鋼材料を砥石車で高能率研削する場合には、砥粒としてＣＢＮ（Ｃｕｂｉｃ  Ｂｏｒｏｎ  Ｎｉｔｒｉｄｅ：立方晶窒化ホウ素）を使用した砥石が使われる。このＣＢＮ砥石６２は、図９及び図１０に示すように、ＣＢＮ砥粒６４が、円盤状の台金（コア）６６の外周部に、砥粒自体を形成する結晶面がいずれの方向を向いているか関係なく結合剤１２により配置固定されている。
【０００３】
また、特許文献１の発明によると、ダイヤモンドの正八面体形状の結晶において、八面体面が接触面における回転方向に並行に露呈（砥石の表面から）させるか、八面体面を境界とする三本の稜線のいずれかの一の稜線を接触面における相対回転速度ベクトルの方向と並行に露呈（砥石の表面から）するように砥石の研削面に植設させることとしている。これによって、ダイヤモンド結晶面の最も硬い方向を使用してドレッシングできるようにすることで、耐摩耗性の高いロータリダイヤモンドドレッサを提供するものである。
【特許文献１】特開昭５４−８６８９３号公報
【発明の開示】
【発明が解決しようとする課題】
【０００４】
しかし、ＣＢＮ砥粒６４は、図１０に示すように、一般に通常球形に近いものが多くあり、これが摩耗すると、切削に使用された面がテーブル状に平らとなるため（図１１参照）、工作物との接触面積が増加して研削抵抗が上昇する。このような砥粒の研削抵抗の増加は、研削焼けや精度不良の原因となった。また、電着ホイールにおける研削層は、ＣＢＮ砥粒による単層で形成されており、ＣＢＮ砥粒の摩耗がそのまま砥石の寿命となるため、ＣＢＮ砥粒の摩耗を防ぐ手立てが要望されていた。
【０００５】
また、特許文献１は、八面体結晶のダイヤモンドの結晶面の硬さ特性の方向を考慮してドレッシングするロータリダイヤモンドドレッサとしている。しかし、ダイヤモンドと違ってＣＢＮ砥粒においては、さまざまな結晶形状の単結晶砥粒があり、ＣＢＮ砥粒の特定の結晶形状において、その結晶方位を考慮することによって、ＣＢＮ砥石の性能の向上に寄与させるよう想到することは大変困難であった。
【０００６】
本発明は、上記課題を解決するためその目的は、ＣＢＮ砥粒の結晶方位を考慮することで、砥石性能を飛躍的に向上させたＣＢＮ砥石を提供することである。
【課題を解決するための手段】
【０００７】
上記課題を解決するために、請求項１に係る発明の構成上の特徴は、研削盤の砥石台に回転軸線回りに軸承された砥石軸に装着されるコアの周囲に複数個のＣＢＮ砥粒と結合剤とを含む砥粒層が形成されるＣＢＮ砥石において、各前記ＣＢＮ砥粒は、該ＣＢＮ砥粒中で最も広い面となっている｛１１１｝面を有する単結晶体であり、前記砥粒層には、砥石外周面に対して各前記砥粒ＣＢＮの｛１１１｝面が平行な方向に配向されて設けられていることである。
【０００８】
請求項２に係る発明の構成上の特徴は、請求項１において、前記ＣＢＮ砥粒は、該ＣＢＮ砥粒中で最も広い面となっている｛１１１｝面と、該｛１１１｝面に平行な他の｛１１１｝面とを有する板状砥粒であることである。
【０００９】
請求項３に係る発明の構成上の特徴は、請求項２において、前記他の｛１１１｝面は、前記ＣＢＮ砥粒中で２番目に広い面となっていることである。
【００１０】
請求項４に係る発明の構成上の特徴は、請求項１乃至３のいずれか１項において、前記コアは金属製であり、前記結合剤は電着メッキであることである。
【発明の効果】
【００１１】
請求項１に係る発明によれば、ＣＢＮ砥粒結晶の｛１１１｝面は原子が積み重なる最密面であるため、｛１１１｝面に平行な方向は耐摩耗性が高い。そのため、ＣＢＮ砥粒結晶の｛１１１｝面を、砥石外周面に対して平行となるように配向することで、ＣＢＮ砥石の耐摩耗性を飛躍的に向上させることができる。そして、このように耐摩耗性を向上させることは高価な砥石の寿命を延ばすこととなるので、生産コストの大幅な削減を図ることができる。
【００１２】
請求項２に係る発明によれば、ＣＢＮ砥粒中最も広い面が｛１１１｝面なので、｛１１１｝面を接触面側として砥石外周面に平行に配置させ易い。そして、他の｛１１１｝面は前記｛１１１｝面に対して平行なので、｛１１１｝面を砥石外周面に平行に配置させるだけで、他の｛１１１｝面を砥石外周面に対して平行に配向配置することを、極めて容易に行うことができる。
【００１３】
請求項３に係る発明によれば、｛１１１｝面は、最も広い面か２番目に広い面であるため、二つの｛１１１｝面のうちのいずれかを接触面として砥石外周面に平行に配置させ易い。そして、どちらか一方の｛１１１｝面を砥石外周面に平行に配置させるだけで、他方の｛１１１｝面を砥石外周面に対して平行に配向配置することを、極めて容易に行うことができる。
【００１４】
請求項４に係る発明によれば、砥粒層が単層であることから、電導性のあるコアの外周にＣＢＮ砥粒を電着で設けることで、砥石外周面に対して平行に砥粒を容易に設けることが可能である。
【発明を実施するための最良の形態】
【００１５】
以下、本発明の第１の実施形態に係る研削方法およびそれに用いる砥石を図面に基づいて説明する。図１は周囲にＣＢＮ砥粒を含む砥粒層２が電着により形成されたＣＢＮ砥石としてのＣＢＮ電着砥石４を示し、図２はＣＢＮ電着砥石４を装着させる研削盤の例を示す図である。
【００１６】
ＣＢＮ電着砥石４は、鉄又はアルミニウム等の金属で成形された円盤状のコア８と、該コア８の外周面に結合剤（ニッケルメッキ）１２（図４参照）によりＣＢＮ砥粒６が電着されて形成された単層の砥粒層２とから構成されている。
【００１７】
ＣＢＮ電着砥石４は、図２に示す研削盤４０の砥石台４１に軸線Ｏ回りに回転駆動可能に軸承された砥石軸４２にコア８で装着される。研削盤４０の工作物支持装置４３には工作物Ｗが回転駆動可能に支承され、砥石台４１の前進により砥石４の砥粒層２に形成された研削面４５が工作物Ｗに当接して工作物Ｗの外周面を研削加工するよう構成されている。
【００１８】
また、図３示すＣＢＮ砥粒６の単結晶体は、図５及び図６に示すように、六角形状の｛１１１｝面Ａと該六角形状の｛１１１｝面Ａと平行な三角形状の｛１１１｝面（他の｛１１１｝面）Ｂとその他の結晶面とから構成される板状砥粒である。ここで、｛１１１｝面Ａは、ＣＢＮ砥粒６の中で最も広い面であり、他の｛１１１｝面）Ｂは、２番目に広い面である。そして、これらの｛１１１｝面Ａ，Ｂは、原子が積み重なった最密面であり、ＣＢＮ砥粒６は、これらの｛１１１｝面Ａ，Ｂに平行な方向には、高度の耐摩耗性を有している。なお、その他の結晶面として、いずれも図略の（１００）面、（０１０）面及び（００１）面は各軸で９０度回転させると一致する等価な面であり、まとめて{１００}面と表される。
【００１９】
また、各ＣＢＮ砥粒６は、図４に示すように、層状に形成された結合剤１２に全体の５０〜７０％（望ましくは６０％）が埋め込まれて構成されている。複数のＣＢＮ砥粒は、夫々砥石外周面に平行に｛１１１｝面Ａが配向されてコア８の外周に単層の砥粒層２が形成されている。
【００２０】
ここで、様々な形状を含むＣＢＮ砥粒６から、広い｛１１１｝面Ａ，Ｂを有する板状砥粒を選別する方法の例を以下に説明する。まず、図７に示すように、外周側から中央側に向けて下方に推移する階段状の底面を有するすり鉢状の選別容器５０を設け、選別容器５０を例えばスライダークランク機構を有する水平振動装置５２に据付ける。そして、選別容器５０の外周側の階段上部５０ａに、選別するＣＢＮ砥粒郡６を配置する。そして、細かい水平振動を選別容器５０に与える。すると、比較的丸い形状の砥粒等転がりやすい形状のＣＢＮ砥粒６ａは、上段（階段上部）５０ａより中段５０ｂさらに中央側の下段５０ｃへ転がり落ち、転がりにくい板状ＣＢＮ砥粒６ｂは階段上部５０ａに残る。そして、下段５０ｃに溜まった砥粒６ａを除き、階段上部５０ａに残った板状ＣＢＮ砥粒６ｂを使用する。これらの板状ＣＢＮ砥粒６ｂは、互いに平行な２面の｛１１１｝面Ａ，Ｂを備えている。
【００２１】
次に選別された板状ＣＢＮ砥粒６ｂは、例えば以下の方法でコア８の外周面に配置される。まず、コア８の外周に接着剤１０を薄く塗布する。次に、図８に示すように、コア８を水平に軸承された回転軸１４に組み付け、回転軸１４をゆっくり回転させる。そして、選別された板状ＣＢＮ砥粒６ｂを回転するコア８の上方から撒布させる。板状ＣＢＮ砥粒６ｂは、揺動しながら落下し、外周面着地時に一方の広い｛１１１｝面Ａ又は｛１１１｝面Ｂを下にして安定し、前記接着剤１０により接着固定される。この際、他方の｛１１１｝面Ｂ又は｛１１１｝面Ａが接着面とは逆向きの外側を向いた状態となる。コア８の外周全体にむらなく板状ＣＢＮ砥粒６ｂが接着されたら、公知技術であるニッケル電解槽（図略）にコア８を浸し、ニッケルをコア８の外周面に析出させて、ニッケルメッキ（電着）を行う。ニッケルメッキによる結合剤１２の層は、ＣＢＮ砥粒６が６０〜７０％覆われる厚みまで形成させる。このように、平らな｛１１１｝面Ａ，Ｂを砥石回転方向に対して平行に配向された板状ＣＢＮ砥粒６ｂを備えたＣＢＮ電着砥石４が作成される。
【００２２】
次に、上記のように構成されたＣＢＮ電着砥石４の作動について以下に説明する。ＣＢＮ電着砥石４は、研削盤４０の砥石台４１に軸承された砥石軸４２にコア８で装着されて回転駆動され、工作物Ｗは主軸台及び心押台からなる工作物支持装置４３に支承されて回転駆動される。砥石カバー４４に取り付けられた図略のクーラントノズルからＣＢＮ電着砥石４の研削面４５と工作物Ｗとの間の接触面に向けて研削液が供給され、砥石台４１が工作物Ｗに向かって研削送りされ、ＣＢＮ電着砥石４により工作物Ｗが研削加工される。研削加工の際には、ＣＢＮ電着砥石４の砥粒は、砥石回転方向に対してＣＢＮ砥粒結晶の耐摩耗性が高い｛１１１｝面Ａ，Ｂを平行となるように配向されていることで、各砥粒の耐摩耗性が向上するので、砥粒層２が単層構造であってもＣＢＮ電着砥石４全体の耐摩耗性を飛躍的に向上させることができる。そして、このように耐摩耗性を向上させることは高価な砥石の寿命を延ばすこととなるので、生産コストの大幅な削減を図ることができる。
【００２３】
また、上述のように、｛１１１｝面Ａ，Ｂは、最も広い面か２番目に広い面であるため、｛１１１｝面Ａ，Ｂのうちのいずれかをコア８の外周面（砥石外周面に対して平行な面）に接着固定（配置）させ易い。そして、二つの｛１１１｝面Ａ，Ｂは平行なので、一方の｛１１１｝面Ａ又は｛１１１｝面Ｂをコア８の外周面に接着固定（配置）させるだけで、他方の｛１１１｝面Ｂ又は｛１１１｝面Ａを砥石外周面に対して平行に配向配置することを、極めて容易に行うことができる。
【００２４】
また、砥粒層２が単層であることから、電導性のあるコアの外周にＣＢＮ砥粒６を電着で設けることで、砥粒６を容易に所定方向に設けることが可能である。
【００２５】
なお、上記実施形態においては、ニッケルメッキによる電着で、ＣＢＮ砥粒を保持させるものとしたが、これに限定されず、例えば低融点メタルボンドを結合剤として使用することができる。
【００２６】
また、最も広い｛１１１｝面Ａに平行な｛１１１｝面Ｂは、砥粒中で面積が２番目に広い面としたが、これに限定されず、｛１１１｝面Ｂは２番目以外、例えば３番目に広い面であってもよい。
【図面の簡単な説明】
【００２７】
【図１】本発明の第１の実施形態を示す砥石の全体図。
【図２】ＣＢＮ砥石を装着した研削盤で工作物を研削する状態を示す図。
【図３】ＣＢＮ砥粒を示す図。
【図４】ＣＢＮ砥粒がメッキ層に埋め込まれた状態を示す図。
【図５】ＣＢＮ砥粒の結晶体の｛１１１｝面を示す図。
【図６】ＣＢＮ砥粒の結晶体の｛１１１｝面を示す図。
【図７】板状砥粒の選別方法を示す図。
【図８】コアの外周に板状砥粒を設ける方法を示す図。
【図９】従来例のＣＢＮ砥石を示す図。
【図１０】従来例のＣＢＮ砥粒の形状を示す図。
【図１１】従来例のＣＢＮ砥粒の摩耗状態を示す図。
【符号の説明】
【００２８】
２・・・砥粒層、４・・・ＣＢＮ砥石（ＣＢＮ電着砥石）、６・・・ＣＢＮ砥粒、６ｂ・・・板状砥粒（板状ＣＢＮ砥粒）、８・・・コア、１２・・・結合剤（電着メッキ・ニッケルメッキ）、４０・・・研削盤、４１・・・砥石台、４２・・・砥石軸、Ａ・・・｛１１１｝面、Ｂ・・・他の｛１１１｝面。
【図１】
2010094774.tif 000003
【図２】
2010094774.tif 000004
【図３】
2010094774.tif 000005
【図４】
2010094774.tif 000006
【図５】
2010094774.tif 000007
【図６】
2010094774.tif 000008
【図７】
2010094774.tif 000009
【図８】
2010094774.tif 000010
【図９】
2010094774.tif 000011
【図１０】
2010094774.tif 000012
【図１１】
2010094774.tif 000013